(57)【要約】【課題】従来のじょうごよりも、移し替えのスピードが格段に速く、手をじょうごに添えなくとも容易に移し替えができ、かつ、螺子山のピッチの異なるペットボトル等容器でも使用でき、更に、着脱が容易なじょうごを提供する。【解決手段】液体等の流出口４の断面積を、ペットボトル等容器の口内径の断面積の７０〜９０％とし空気の流出口８を設け、ペットボトル等容器の口の上端面と、じょうごと接触する箇所に、複数の突起６または凹部を形成することで、空気の流出口８を備え、液体流出口４を取り囲むように複数の爪５を出し、ペットボトル等容器の螺子山部７の外周に添わせた。【選択図】図４
2008063010.tif 000002
【特許請求の範囲】
【請求項１】
イ）液体等の流入口の断面積を、ペットボトル等容器の口内径の断面積の７０〜９０％とする。
ロ）空気の流出口を設ける。
以上の如く構成された、じょうご。
【請求項２】
ペットボトル等容器の口の上端面と、じょうごと接触する箇所に、突起または凹部を形成することで、空気の排出口を備えた請求項１記載のじょうご。
【請求項３】
液体流出口を取り囲むように複数の爪を出し、ペットボトル等容器の螺子山部の外周に添わすことで、着脱可能に固定される請求項１又は２記載のじょうご。
【発明の詳細な説明】
【技術分野】
【０００１】
本発明は、ペットボトル等容器に対して着脱可能に固定されるじょうごに関する。
【背景技術】
【０００２】
液体等を別容器に移し替えるとき一般的なじょうごを用いることが多い。
【０００３】
じょうごとして、登録実用新案第３０９０１９７号及び、特許公開２００４−５９１４３号には、じょうごとボトルの接合部に螺子山を設けたじょうごが記載されている。
【０００４】
【特許文献１】登録実用新案第３０９０１９７号公報
【特許文献２】特許公開２００４−５９１４３号公報
【発明の開示】
【発明が解決しようとする課題】
【０００５】
従来のじょうごは、容器に差し込むだけで不安定なため、手を添えないと、液体等を容易に移し替えられないという難点があった。
【０００６】
また、移し替えるのに時間がかかり、重いやかんや一升瓶等を持って、注ぐのにも力の弱い子供や女性、お年寄りには重労働であった。
【０００７】
じょうごとボトルの接合部に螺子山を設けたじょうごでは、螺子山のピッチが異なるペットボトル等容器に対し、それに合致したピッチのものを予め用意する必要があるという問題があった。
【０００８】
仮に、螺子山のピッチが合致したとしても、着脱はその都度ねじる必要があり、使用者にとっては、面倒であった。
【０００９】
本発明の目的は、従来のじょうごよりも、移し替えのスピードが格段に速く、手をじょうごに添えなくとも容易に移し替えができ、かつ、螺子山のピッチの異なるペットボトル等容器でも使用でき、更に、着脱が簡便なじょうごを提供することである。
【課題を解決するための手段】
【００１０】
本発明に係るじょうごは、液体等の流入口の断面積を、一般的なじょうごの流入口の断面積よりも大きくし、空気の排出口を設けることで、ペットボトル等容器内の空気が排出できるようにし、液体等流出口の周囲に複数個の爪を出し、ペットボトル等容器の螺子山部の外周に添わせたものである。
【００１１】
じょうごの液体等の流入口の断面積を、一般的なじょうごの流入口の断面積よりも大きくすることで、単一時間による流入量の割合が増加した。
【００１２】
空気の排出口を設けることで、ペットボトル等容器内の空気が排出できるようなり前記の項目と合わせて、流入速度が増すことで、移し替えに要する時間が短縮することができた。
【００１３】
ペットボトル等容器とじょうごの固定方法を螺子式とせず、複数個の爪を出し、ペットボトル等容器の螺子山部の外周に添わせることで、螺子山のピッチに関係無く固定でき、かつ、ねじる必要が無く、着脱が簡便となった。
【発明の効果】
【００１４】
本発明に係るじょうごによれば、液体等流入口が大きく、空気排出口がある為一般的なじょうごよりも格段に早く、移し替えができる。
【００１５】
液体等流出口の周囲に複数個の爪を出し、ペットボトル等容器の螺子山部の外周に添わせることで、じょうごに手を添えなくとも、安定して容易に移し替えができるようになった。
【００１６】
またペットボトル等容器２の螺子山７のピッチに関係無く使用でき、かつ、ねじる必要が無く、着脱が簡便となった。
【発明を実施するための最良の形態】
【００１７】
以下、本発明の実施の形態について図面を参照しながら説明する。
図１〜図４に示すようにじょうご１は、液体等流出口４の内径を一般的なじょうごより大きくし、液体等流出口４の周囲に複数個の爪５を出し、ペットボトル等容器２の螺子山部７の外周に添わせ、ペットボトル等容器内の空気が抜ける穴を設ける手段として、ペットボトル等容器２の口の上端面と、じょうごと接触する箇所に、単体または、複数の突起６を形成したものである。
【００１８】
もちろん、突起６のかわりに、凹部を形成し、ペットボトル等容器内の空気が排出できるようにしてもよい。
【００１９】
じょうごの液体等流入口４の断面積を、ペットボトル等容器２の口内径の断面積の７０〜９０％とした。
これは、液体等の流入量と、容器内にある空気の排出量から導き出された、最も効率よく移し替えができる割合である。
【００２０】
じょうご１によれば、液体等流入口４が大きく、空気排出口８がある為一般的なじょうごよりも格段に早く、移し替えができる。
【００２１】
液体等流出口４の周囲に複数個の爪５を出し、ペットボトル等容器２の螺子山部７の外周に添わせることで、じょうごに手を添えなくとも、安定して容易に移し替えができるようになった。
【００２２】
またペットボトル等容器２の螺子山７のピッチに関係無く使用でき、かつ、ねじる必要が無く、着脱が簡便となった。
【図面の簡単な説明】
【００２３】
【図１】じょうごの底面図
【図２】じょうごの正面図
【図３】じょうごの平面図
【図４】じょうごの斜視図
【図５】使用前状態を示す参考図
【図６】使用状態を示す参考図
【図７】図６の断面図
【図８】図２のＡ−Ａ'線断面図
【符号の説明】
【００２４】
１      じょうご          ２      ペットボトル等容器
３      注ぎ口            ４      液体等流出口
５      爪                ６      突起
７      螺子山            ８      空気排出口
９      リング
【図１】
2008063010.tif 000003
【図２】
2008063010.tif 000004
【図３】
2008063010.tif 000005
【図４】
2008063010.tif 000006
【図５】
2008063010.tif 000007
【図６】
2008063010.tif 000008
【図７】
2008063010.tif 000009
【図８】
2008063010.tif 000010
【手続補正書】
【提出日】平成19年12月4日(2007.12.4)
【手続補正１】
【補正対象書類名】特許請求の範囲
【補正対象項目名】全文
【補正方法】変更
【補正の内容】
【特許請求の範囲】
【請求項１】
流出口の断面積を、容器の口内径の断面積の７０〜９０％に設定し、
前記流出口を取り囲むように複数の爪を設け、
前記複数の爪を容器の螺子山部の外周に添うように外嵌させて、容器にねじることなく着脱自在に固定でき、しかも容器に固定した状態で、容器の口との間に空気排出口を形成可能となしたじょうご。
【請求項２】
前記容器の口の上端面との接触箇所に、突起または凹部を形成することで、前記空気排出口を形成可能となした請求項１記載のじょうご。
【請求項３】
前記突起を爪の基部に設けた請求項２記載のじょうご。
【手続補正２】
【補正対象書類名】明細書
【補正対象項目名】全文
【補正方法】変更
【補正の内容】
【発明の詳細な説明】
【技術分野】
【０００１】
本発明は、ペットボトル等の容器に対して着脱可能に固定されるじょうごに関する。
【背景技術】
【０００２】
液体等を別容器に移し替えるとき一般的なじょうごを用いることが多い。
【０００３】
じょうごとして、登録実用新案第３０９０１９７号及び、特許公開２００４−５９１４３号には、じょうごとボトルの接合部に螺子山を設けたじょうごが記載されている。
【０００４】
【特許文献１】登録実用新案第３０９０１９７号公報
【特許文献２】特許公開２００４−５９１４３号公報
【発明の開示】
【発明が解決しようとする課題】
【０００５】
従来の一般的なじょうごは、容器に差し込むだけで不安定なため、手を添えないと、液体等を容易に移し替えられないという難点があった。
【０００６】
また、移し替えるのに時間がかかり、重いやかんや一升瓶等を持って、注ぐのにも力の弱い子供や女性、お年寄りには重労働であった。
【０００７】
一方、特許文献１、２記載の発明のように、じょうごとボトルの接合部に螺子山を設けたじょうごでは、螺子山のピッチが異なるペットボトル等の容器に対し、それに合致したピッチのものを予め用意する必要があるという問題があった。
【０００８】
仮に、螺子山のピッチが合致したとしても、着脱はその都度ねじる必要があり、使用者にとっては、面倒であった。
【０００９】
本発明の目的は、従来のじょうごよりも、移し替えのスピードが格段に速く、手をじょうごに添えなくとも容易に移し替えができ、かつ、螺子山のピッチの異なるペットボトル等の容器でも使用でき、更に、着脱が簡便なじょうごを提供することである。
【課題を解決するための手段】
【００１０】
本発明に係るじょうごは、流出口の断面積を、容器の口内径の断面積の７０〜９０％に設定し、前記流出口を取り囲むように複数の爪を設け、前記複数の爪を容器の螺子山部の外周に添うように外嵌させて、容器にねじることなく着脱自在に固定でき、しかも容器に固定した状態で、容器の口との間に空気排出口を形成可能となしたものである。
【００１１】
じょうごの液体等の流出口の断面積を、容器の口内径の断面積の７０〜９０％に設定することで、単一時間による容器への流入量の割合が増加した。
【００１２】
空気排出口を設けることで、ペットボトル等の容器内の空気が排出できるようなり前記の項目と合わせて、容器への流入速度が増すことで、移し替えに要する時間が短縮することができた。
【００１３】
容器とじょうごの固定方法を螺子式とせず、複数個の爪を出し、容器の螺子山部の外周に添わせることで、螺子山のピッチに関係無く固定でき、かつ、ねじる必要が無く、着脱が簡便となった。
【００１４】
ここで、前記容器の口の上端面との接触箇所に、突起または凹部を形成することで、前記空気排出口を形成可能とすることができる。また、この場合には、前記突起を爪の基部に設けることが好ましい。
【発明の効果】
【００１５】
本発明に係るじょうごによれば、流出口が大きく、空気の排出口がある為一般的なじょうごよりも格段に早く、液体等の移し替えができる。
【００１６】
流出口の周囲に複数個の爪を設け、ペットボトル等の容器の螺子山部の外周に添わせることで、じょうごに手を添えなくとも、安定して容易に移し替えができるようになった。
【００１７】
またペットボトル等の容器の螺子山のピッチに関係無く使用でき、かつ、ねじる必要が無く、着脱が簡便となった。
【発明を実施するための最良の形態】
【００１８】
以下、本発明の実施の形態について図面を参照しながら説明する。
図１〜図８に示すようにじょうご１は、液体等の流出口４の内径を一般的なじょうごより大きくし、流出口４の周囲に複数個の爪５を出し、これら複数の爪５をペットボトル等の容器２の螺子山部７の外周に添わせ、容器２内の空気を排出するための空気排出口８を設ける手段として、容器２の口の上端面と、じょうごとの接触箇所に、単体または、複数の突起６を形成したものである。
【００１９】
もちろん、突起６のかわりに、凹部を形成し、容器２内の空気が排出できるようにしてもよい。
【００２０】
じょうごの流出口４の断面積を、容器２の口内径の断面積の７０〜９０％とした。
これは、液体等の流入量と、容器２内にある空気の排出量から導き出された、最も効率よく移し替えができる割合である。
【００２１】
じょうご１によれば、液体等の流出口４が大きく、空気排出口８がある為一般的なじょうごよりも格段に早く、移し替えができる。
【００２２】
流出口４の周囲に複数個の爪５を出し、容器２の螺子山部７の外周に添わせることで、じょうごに手を添えなくとも、安定して容易に移し替えができるようになった。
【００２３】
また容器２の螺子山部７のピッチに関係無く使用でき、かつ、ねじる必要が無く、着脱が簡便となった。
【図面の簡単な説明】
【００２４】
【図１】じょうごの底面図
【図２】じょうごの正面図
【図３】じょうごの平面図
【図４】じょうごの斜視図
【図５】容器にじょうごを固定するときの説明図
【図７】図６の右側半分を断面図とした説明図
【図８】図７のＡ−Ａ線断面図
【符号の説明】
【００２５】
１      じょうご          ２      容器
３      注ぎ口            ４      流出口
５      爪                ６      突起
７      螺子山部          ８      空気排出口
９      リング
【手続補正３】
【補正対象書類名】図面
【補正対象項目名】全図
【補正方法】変更
【補正の内容】
【図１】
2008063010.tif 000011
【図２】
2008063010.tif 000012
【図３】
2008063010.tif 000013
【図４】
2008063010.tif 000014
【図５】
2008063010.tif 000015
【図６】
2008063010.tif 000016
【図７】
2008063010.tif 000017
【図８】
2008063010.tif 000018
【手続補正書】
【提出日】平成19年12月28日(2007.12.28)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【発明の詳細な説明】
【技術分野】
【０００１】
本発明は、ペットボトル等の容器に対して着脱可能に固定されるじょうごに関する。
【背景技術】
【０００２】
液体等を別容器に移し替えるとき一般的なじょうごを用いることが多い。
【０００３】
じょうごとして、登録実用新案第３０９０１９７号及び、特許公開２００４−５９１４３号には、じょうごとボトルの接合部に螺子山を設けたじょうごが記載されている。
【０００４】
【特許文献１】登録実用新案第３０９０１９７号公報
【特許文献２】特許公開２００４−５９１４３号公報
【発明の開示】
【発明が解決しようとする課題】
【０００５】
従来の一般的なじょうごは、容器に差し込むだけで不安定なため、手を添えないと、液体等を容易に移し替えられないという難点があった。
【０００６】
また、移し替えるのに時間がかかり、重いやかんや一升瓶等を持って、注ぐのにも力の弱い子供や女性、お年寄りには重労働であった。
【０００７】
一方、特許文献１、２記載の発明のように、じょうごとボトルの接合部に螺子山を設けたじょうごでは、螺子山のピッチが異なるペットボトル等の容器に対し、それに合致したピッチのものを予め用意する必要があるという問題があった。
【０００８】
仮に、螺子山のピッチが合致したとしても、着脱はその都度ねじる必要があり、使用者にとっては、面倒であった。
【０００９】
本発明の目的は、従来のじょうごよりも、移し替えのスピードが格段に速く、手をじょうごに添えなくとも容易に移し替えができ、かつ、螺子山のピッチの異なるペットボトル等の容器でも使用でき、更に、着脱が簡便なじょうごを提供することである。
【課題を解決するための手段】
【００１０】
本発明に係るじょうごは、流出口の断面積を、容器の口内径の断面積の７０〜９０％に設定し、前記流出口を取り囲むように複数の爪を設け、前記複数の爪を容器の螺子山部の外周に添うように外嵌させて、容器にねじることなく着脱自在に固定でき、しかも容器に固定した状態で、容器の口との間に空気排出口を形成可能となしたものである。
【００１１】
じょうごの液体等の流出口の断面積を、容器の口内径の断面積の７０〜９０％に設定することで、単一時間による容器への流入量の割合が増加した。
【００１２】
空気排出口を設けることで、ペットボトル等の容器内の空気が排出できるようなり前記の項目と合わせて、容器への流入速度が増すことで、移し替えに要する時間が短縮することができた。
【００１３】
容器とじょうごの固定方法を螺子式とせず、複数個の爪を出し、容器の螺子山部の外周に添わせることで、螺子山のピッチに関係無く固定でき、かつ、ねじる必要が無く、着脱が簡便となった。
【００１４】
ここで、前記容器の口の上端面との接触箇所に、突起または凹部を形成することで、前記空気排出口を形成可能とすることができる。また、この場合には、前記突起を爪の基部に設けることが好ましい。
【発明の効果】
【００１５】
本発明に係るじょうごによれば、流出口が大きく、空気の排出口がある為一般的なじょうごよりも格段に早く、液体等の移し替えができる。
【００１６】
流出口の周囲に複数個の爪を設け、ペットボトル等の容器の螺子山部の外周に添わせることで、じょうごに手を添えなくとも、安定して容易に移し替えができるようになった。
【００１７】
またペットボトル等の容器の螺子山のピッチに関係無く使用でき、かつ、ねじる必要が無く、着脱が簡便となった。
【発明を実施するための最良の形態】
【００１８】
以下、本発明の実施の形態について図面を参照しながら説明する。
図１〜図８に示すようにじょうご１は、液体等の流出口４の内径を一般的なじょうごより大きくし、流出口４の周囲に複数個の爪５を出し、これら複数の爪５をペットボトル等の容器２の螺子山部７の外周に添わせ、容器２内の空気を排出するための空気排出口８を設ける手段として、容器２の口の上端面と、じょうごとの接触箇所に、単体または、複数の突起６を形成したものである。
【００１９】
もちろん、突起６のかわりに、凹部を形成し、容器２内の空気が排出できるようにしてもよい。
【００２０】
じょうごの流出口４の断面積を、容器２の口内径の断面積の７０〜９０％とした。
これは、液体等の流入量と、容器２内にある空気の排出量から導き出された、最も効率よく移し替えができる割合である。
【００２１】
じょうご１によれば、液体等の流出口４が大きく、空気排出口８がある為一般的なじょうごよりも格段に早く、移し替えができる。
【００２２】
流出口４の周囲に複数個の爪５を出し、容器２の螺子山部７の外周に添わせることで、じょうごに手を添えなくとも、安定して容易に移し替えができるようになった。
【００２３】
また容器２の螺子山部７のピッチに関係無く使用でき、かつ、ねじる必要が無く、着脱が簡便となった。
【図面の簡単な説明】
【００２４】
【図１】じょうごの底面図
【図２】じょうごの正面図
【図３】じょうごの平面図
【図４】じょうごの斜視図
【図５】容器にじょうごを固定するときの説明図
【図６】容器にじょうごを固定した状態での説明図
【図７】図６の右側半分を断面図とした説明図
【図８】図７のＡ−Ａ線断面図
【符号の説明】
【００２５】
１      じょうご          ２      容器
３      注ぎ口            ４      流出口
５      爪                ６      突起
７      螺子山部          ８      空気排出口
９      リング